(57)【特許請求の範囲】
【請求項１】
給水用主管と、該主管に補助管又はヘッダー等を介して接続される、可撓性のある樹脂製の巻出し管と、天井に設置されるスプリンクラーヘッドを備え、前記巻出し管の管端部に連結されるヘッド取付管よりなり、天井裏に配管されるスプリンクラー用配管において、前記巻出し管は全長のうち、ヘッド取付管側のヘッド取付管に接続される一部が他の部分に比べ、小径であるか、或いは硬度の低い材質で、剛性が小さく形成されることにより撓みやすくし、しかも前記ヘッド取付管側の一部は、スプリンクラーヘッドからの散水距離以下の長さにされることを特徴とするスプリンクラー用配管。
【発明の詳細な説明】
【技術分野】
【０００１】
本発明は、天井裏に配管されるスプリンクラー用配管に関する。
【背景技術】
【０００２】
スプリンクラー用配管は一般に給水用主管と、該主管に補助管又はヘッダー等を介して接続される巻出し管と、天井に設置されるスプリンクラーヘッドを備え、前記巻出し管の管端部に連結されるヘッド取付管とからなり、消防法の改正により近年、巻出し管に架橋ポリエチレン管等の樹脂管が多用されるようになって来ている。
【０００３】
図１は、特許文献１に開示されるスプリンクラー用配管の一例を示すもので、給水用主管１と、該主管１に接続されるヘッダー２と、天井８（図２）に設置されるスプリンクラーヘッド３を備えたヘッド取付管４と、前記ヘッダー２とヘッド取付管４とを接続する、架橋ポリエチレン管よりなる巻出し管５とよりなり、ヘッド取付管４は図２に示すように、金属部分４ａをインサート成形したエルボ継手状をなし、金属部分４ａでスラブ６に取付金具７により支持されている。
【先行技術文献】
【特許文献】
【０００４】
【特許文献１】特開平１０−１１８２１９号
【発明の概要】
【発明が解決しようとする課題】
【０００５】
巻出し管に樹脂管を用いた場合、巻出し管は天井裏にそのまま置いて這わせておけばよく、金属管のように建物の躯体等に吊り金具で支持する必要がないこと、金属管の場合、天井裏への他の配管、例えば給水・給湯管、雑配水管、汚水管、空調ダクト、電気ケーブルのラック配管などを迂回し、或いは天井に取付けた前記ヘッド取付管に接続できるようにするためエルボ継手を用いて方向転換し、エルボ継手による接続作業のために寸法計測、管の切断、ネジ切り、捩じ込み作業等が必要であるのに対し、樹脂管は概して金属管に比べ可撓性を有するため、エルボ継手を用いなくても方向転換が可能であり、したがってエルボ継手を用いた場合のような前記作業が不要であること等により、施工が容易である利点があるが、火災が発生したとき、スプリンクラーヘッドから散水できるようにするため、巻出し管には、高熱で中までは容易に溶融しないような耐熱性が要求される。
【０００６】
そこで従来は、巻出し管に中まで容易には溶融しない肉厚を有する口径の大きなものが用いられているが、肉厚が大で、口径の大きなものは剛性も大きく、曲げ難くなってヘッド取付管への取付作業が容易でない嫌いがあった。
【０００７】
本発明は、火災時の送水機能を損なうことなく、ヘッド取付管への取付作業を容易にする巻出し管を備えたスプリンクラー用配管を提供することを目的とする。
【課題を解決するための手段】
【０００８】
給水用主管と、該主管に補助管又はヘッダー等を介して接続される、可撓性のある樹脂製の巻出し管と、天井に設置されるスプリンクラーヘッドを備え、前記巻出し管の管端部に連結されるヘッド取付管よりなり、天井裏に配管されるスプリンクラー用配管において、前記巻出し管は全長のうち、ヘッド取付管側のヘッド取付管に接続される一部が他の部分に比べ、小径であるか、或いは硬度の低い材質で、剛性が小さく形成されることにより撓みやすくし、しかも前記ヘッド取付管側の一部は、スプリンクラーヘッドからの散水距離以下の長さにされることを特徴とする。
【発明の効果】
【００１０】
請求項１に係わる発明によると、巻出し管はスプリンクラーヘッド側の一部が他の部分に比べ、剛性が小さいため、可撓性に富み、ヘッド取付管への取付作業が容易に行えること、剛性が小さくても規定の散水量を確保できること、巻出し管の前記一部はスプリンクラーヘッドからの散水範囲内にあるため、火災時には散水で保護されて中まで溶融しにくく、送水機能を維持できること等の効果を有し、また巻き出し管の一部について、その剛性を低くすることができる。
【図面の簡単な説明】
【００１２】
【図１】スプリンクラー用配管の概略図。
【図２】ヘッド取付管に接続される巻出し管の一部を示す正面図。
【図３】スプリンクラー用配管の別の例の概略図。
【図４】ヘッド取付管に接続される、本発明に係わる巻出し管の一部を示す正面図。
【図５】同巻出し管の一部の別の例の断面図。
【発明を実施するための形態】
【００１３】
以下、本発明の実施形態のスプリンクラー用配管について図面により説明する。図中、図１及び図２に示すものと同一構造部分には同一符号を付した。
【００１４】
図１は、本発明が適用されるスプリンクラー用配管の一例であり、図３は、別の例を示すもので、この例のスプリンクラー用配管は、給水用主管１１と、該主管１１より分岐する複数の補助管１２と、天井に設置されるスプリンクラーヘッド１３を備えたヘッド取付管１４と、前記各補助管１２にそれぞれ１ないし複数設けられる多口継手１５（ヘッダーでもよい）と前記ヘッド取付管１４を連結する、架橋ポリエチレン管よりなる巻出し管１６とよりなっている。
【００１５】
本発明が適用されるスプリンクラー用配管は、図１及び図３に例示されるものに限らず、給水用主管と該主管に補助管又はヘッダーを介して接続される、可撓性のある樹脂製の巻出し管と、天井に設置されるスプリンクラーヘッドを備え、前記巻出し管の管端部に連結されるヘッド取付管よりなるスプリンクラー用配管を備えたものであればどのような構造のものでもよい。
【００１６】
巻出し管についても前記した架橋ポリエチレン製のものに限らず、例えば内層が架橋ポリエチレン、外層が非架橋ポリエチレンよりなる２層架橋ポリエチレン管、単なるポリエチレン管或いはポリブテン管等を用いることができる。
【００１７】
図４は、図１及び図３に示すスプリンクラー用配管における、図２に対応するヘッド取付管４、１４に接続される巻出し管２１について示すもので、該巻出し管２１は、ヘッド取付管側のヘッド取付管４、１４に接続される一部２１ａが小径にされ、他の部分２１より剛性が小さくされ、撓み易くなっている。
【００１８】
前記一部２１ａの長さはスプリンクラーヘッド１３より散布される散水範囲に収まる長さ、すなわち散水距離以下にされ、火災時には散水で保護されて、温度上昇が制限され、これにより中まで溶融し難くなって、送水機能が維持できるようにしてある。
【００１９】
本発明者らは、２０mmφの２層架橋ポリエチレン管において、端からの一部の長さ２００ｃｍを１６mmφとして放水実験を行ったところ、規定放水量の８０ｌ/minを確保することができ、２０mmφの２層架橋ポリエチレン管とほぼ同等の放水量を確保することができた。
【００２０】
図５に示す別の実施形態の巻出し管２３は端からの一部２３ａの長さを他部より硬度の低い材質（同材質であっても異種の材質であってもよい）で形成し、剛性を小さくしたものである。
【００２１】
巻出し管の一部の剛性を他部より小さくするには、以上の手段のほか、一部の肉厚を他部より薄くしてもよいし、以上の複数の手段のうち、二以上の手段を組合わせてもよい。
【符号の説明】
【００２２】
１、１１・・給水用配管
２・・ヘッダー
３、１３・・スプリンクラーヘッド
４、１４・・ヘッド取付管
５、１６、２１、２３・・巻出し管
６・・スラブ
７・・取付金具
１２・・補助管
１５・・多口継手
【図１】
0005618780.tif 000002
【図２】
0005618780.tif 000003
【図３】
0005618780.tif 000004
【図４】
0005618780.tif 000005
【図５】
0005618780.tif 000006